(57)【要約】【課題】      小型で、保持力の高い係止構造を備えたコネクタを提供する。【解決手段】  コンタクト２を収容するハウジング３の内壁３１ａに、段差４１を設ける。段差４１は、先端４１ｂが、基端４１ａよりも、ハウジングの第１の端部３ｆ側へ突出するように傾斜している。一方、コンタクト本体１０の係止部１４に、この段差４１に係止される係止片２７を設ける。係止片２７の先端２７ａの内側縁２７ｕは、面取りされている。コンタクト２は、ハウジング３の第２の端部３ｂからハウジング３の収容室４０へ挿入され、係止片２７は段差４１の先端４１ｂから基端４１ａに滑らかに立ち上がる。これにより、コンタクト２は高い保持力で、ハウジング３に保持される。【選択図】    図４
2005259602.tif 000002
【特許請求の範囲】
【請求項１】
第１の開口部が形成されている第１の端部、この第１の端部に対向し、第２の開口部が形成されている第２の端部、およびこの第１の端部と第２の端部との間に形成されている収容室を備えた筒状のハウジングと、このハウジングの第２の端部から挿入されて前記収容室に収容されるコンタクト本体と、このコンタクト本体に接続されて前記ハウジングの第２の端部から延出する電線と、を備え、前記ハウジングの第１の端部から挿入される相手方コネクタと嵌合されるコネクタであって、
前記コンタクト本体は、前記相手方コネクタのコンタクトと接触する接触部、前記電線の端部を圧着する圧着部、および前記圧着部と前記接触部との間に設けられた係止部を備え、
前記係止部は、前記コンタクト本体の挿入方向に対して平行な係止板と、この係止板に接続された弾性変形可能な係止片と、を備え、
前記係止片は、先端が前記係止板から立ち上がるように、基端から先端に向かって傾斜しており、
前記収容室は、前記係止板に対向する内壁を備え、
この内壁には、前記係止片を係止する段差が形成されており、
前記段差は、基端から先端に向かって傾斜しており、先端が前記ハウジングの第１の端部の方向に突出していることを特徴とするコネクタ。
【請求項２】
前記係止片は、前記係止板に対向する内面と、この内面に平行な面であって前記内壁に対向する外面と、前記係止片の先端で前記内面と前記外面とを接続している先端面とを備え、
この先端面と前記内面との間に、面取りされた内側縁が形成されていることを特徴とする請求項１記載のコネクタ。
【請求項３】
前記係止板には、前記係止片に対向する位置に、前記係止片が立ち上がる方向に突出する突起が設けられていることを特徴とする請求項１または２記載のコネクタ。
【請求項４】
前記コンタクト本体は、チタンと銅とからなるチタン銅板で構成されていることを特徴とする請求項１から３いずれか記載のコネクタ。
【請求項５】
前記係止片は、基端と先端との間に位置する中間部に、前記係止片が立ち上がる方向に突出する凸部を備えるものであることを特徴とする請求項１から４いずれか記載のコネクタ。
【請求項６】
前記接触部は、前記相手方コネクタのコンタクトと接触する接触板、この接触板に対向する接触ばね、およびこの接触ばねと前記接触板とを接続する側壁を備え、前記接触板と前記接触ばねとの間に相手方コンタクトのコンタクトが圧入される挿入口が形成されていることを特徴とする請求項１から５いずれか記載のコネクタ。
【請求項７】
前記接触部は、前記相手方コネクタのコンタクトと接触する接触板を備え、この接触板は、相手方コンタクトに圧入されることより、前記相手方コネクタのコンタクトと接触するものであることを特徴とする請求項１から５いずれか記載のコネクタ。
【請求項８】
コンタクト本体を構成する金属板の一部を切り曲げ加工し、コンタクト本体から突出する係止片を形成する係止片の形成方法であって、前記係止片の先端の内側縁と当接する面取り部と、前記係止片の基端と先端との間に位置する中間部と当接する押さえ部と、を備えたパンチで前記金属板を打ち出し、前記内側縁を面取りするとともに前記中間部に凸部を形成する係止片の形成方法。
【発明の詳細な説明】
【技術分野】
【０００１】
本発明は、係止片を備えたコンタクトが、ハウジング内壁に形成された段差に係止され、ハウジング内に保持されるコネクタに関する。
【背景技術】
【０００２】
従来、電気機器の接続用コネクタとして、相手方コネクタのコンタクトと接触する接触部を備えたコンタクトと、このコンタクトを保持するハウジングとを備えたコネクタが知られている。このようなコネクタでは、金属板などの導電性材料で形成されたコンタクト本体は、絶縁体で被覆された電線端部に固定され、絶縁性のハウジング内に保持されている。コンタクト本体には、コンタクト本体から突出する係止片が設けられ、一方、ハウジングにはこの係止片を係止する段差（または「係止壁」）が設けられる。この係止片と係止壁とにより、ハウジング内に挿入されたコンタクトは、電線を引っ張った場合でも容易に抜去されない。
【０００３】
このようなコンタクトとハウジングとの係止構造としては、コンタクトをハウジングに挿入するために必要な挿入力を小さくでき、一方、ハウジング内に挿入されたコンタクトの保持力は高くできる構造であることが求められる。特に、近年の電子機器の小型化に伴い、係止構造も小型化することが求められている。このため、小型でも保持力を大きくできる係止片を備えたコンタクトが提案されている（特許文献１）。
【０００４】
特許文献１に開示されたコンタクトの係止片は、金属板が底板から打ち出されることにより形成され、底板の横幅とほぼ等しい幅を有する幅広部を有するため、剛性が高い。一方、係止片は、基端と中間部との２箇所で屈曲されているため、ばね性が高い。このように、特許文献１に開示されたコンタクトの係止片は、剛性とばね性が高められることにより、保持力を高めたものとされている。
【０００５】
しかし、特許文献１に開示されたコンタクトの係止片は、２箇所で屈曲されるため、構造が複雑で、製造工程が複雑化する。また、係止片を中間部で折り曲げていることから、係止片を所定の高さまで立ち上げるために必要な係止片の長さは、中間部で折り曲げない場合に比べて長くなり、コンタクトの大型化を招く。
【０００６】
一方、係止片を屈曲させずに基端から先端までまっすぐに傾斜させて立ち上げた場合、係止片は、その先端の角張った部分で係止壁と接触することになる。このため、係止片と係止壁との接触面積が低下して、保持力が低下する。また、係止片の先端の角張った部分が係止壁と接触した状態で揺動することで係止壁が削られる恐れがある。特に、高温などの過酷な条件下での使用に供するため、係止片を含むコンタクト本体を硬質な金属で形成した場合、係止壁が係止片に削られ、保持力の低下を招く。
【特許文献１】特開２００４−２２４８２号公報
【発明の開示】
【発明が解決しようとする課題】
【０００７】
本発明は、上記課題に対し、保持力が高く、小型の係止構造を備えたコネクタを提供することを目的とする。特に、本発明は、高温条件などの過酷な条件下での使用を可能とするため、硬質な金属でコンタクト本体を形成した場合でも、係止片が係止壁を削って保持力が低下することを防止した係止構造を備えたコネクタを提供することを目的とする。
【課題を解決するための手段】
【０００８】
本発明は、上記の課題を解決するため、以下の発明を提供する。
【０００９】
（１）  第１の開口部が形成されている第１の端部、この第１の端部に対向し、第２の開口部が形成されている第２の端部、およびこの第１の端部と第２の端部との間に形成されている収容室を備えた筒状のハウジングと、このハウジングの第２の端部から挿入されて前記収容室に収容されるコンタクト本体と、このコンタクト本体に接続されて前記ハウジングの第２の端部から延出する電線と、を備え、前記ハウジングの第１の端部から挿入される相手方コネクタと嵌合されるコネクタであって、前記コンタクト本体は、前記相手方コネクタのコンタクトと接触する接触部、前記電線の端部を圧着する圧着部、および前記圧着部と前記接触部との間に設けられた係止部を備え、前記係止部は、前記コンタクト本体の挿入方向に対して平行な係止板と、この係止板に接続された弾性変形可能な係止片と、を備え、前記係止片は、先端が前記係止板から立ち上がるように、基端から先端に向かって傾斜しており、前記収容室は、前記係止板に対向する内壁を備え、この内壁には、前記係止片を係止する段差が形成されており、前記段差は、基端から先端に向かって傾斜しており、先端が前記ハウジングの第１の端部の方向に突出していることを特徴とするコネクタ。
【００１０】
（１）記載の発明では、ハウジング内壁に設けられた段差が逆テーパ状をなすように傾斜し、段差の先端は、その基端よりハウジングの第１の端部に迫出している。コンタクト本体は、ハウジングの第２の端部から第１の端部の方向へと挿入され、この段差は、係止片が係止される係止壁として機能する。なお、以下、第１の端部を「前端」、第２の端部を「後端」という場合がある。
【００１１】
段差が逆テーパ状をなすことにより、コンタクト本体に圧着された電線を、ハウジング後端側へ引っ張った場合、コンタクト本体の係止片は、段差の傾斜に沿って先端から基端へと滑らかに立ち上がり、段差から外れにくい。また、段差の先端から基端へと立ち上がった係止片は、段差の基端付近で係合される。係止片が段差の基端部付近で係止されている場合、コンタクト本体を引っ張る力は段差の広い部分で受容されるため、係止保持力を高めることができる。
【００１２】
（２）  前記係止片は、前記係止板に対向する内面と、この内面に平行な面であって前記内壁に対向する外面と、前記係止片の先端で前記内面と前記外面とを接続している先端面とを備え、この先端面と前記内面との間に、面取りされた内側縁が形成されていることを特徴とする（１）記載のコネクタ。
【００１３】
（２）記載の発明では、係止片の先端の内側縁が面取りされ、角張らない平滑面とされる。係止片は、一枚の金属板を、この板が延伸する方向と垂直な方向で切断して形成されるため、従来の係止片では、金属板の切断面の両端縁である内側縁と外側縁とは、いずれも角張ったものとなっている。このような係止片を、基端から先端にかけて屈曲させることなくまっすぐに立ち上げた場合、係止片は、この角張った内側縁で段差と当接するため、係止面積が少なく、保持力が小さくなる恐れがあった。また、係止片の角張った内側縁は、刃物のように作用し、ハウジングと同じ合成樹脂などで形成された段差を削り、保持力を低下させる恐れもあった。
【００１４】
これに対し、（２）記載の発明では、係止片の先端の内側縁を面取りすることにより係止面積を大きくできるため、係止片を屈曲させることや、係止片の立ち上がり高さを大きくすることによらずに、保持力を高めることができる。また、係止片により段差が削られることを防止できるため、保持力の低下を防止できる。
【００１５】
（３）  前記係止板には、前記係止片に対向する位置に、前記係止片が立ち上がる方向に突出する突起が設けられていることを特徴とする（１）または（２）記載のコネクタ。
【００１６】
（３）記載の発明では、係止片と対向する係止板上に突起が設けられ、係止片が係止板の方向に押し下げられた場合、係止片はこの突起と接触する。このため、係止片が押し下げられた場合でも、係止片をコンタクト本体から立ち上がった状態に維持できる。係止片がコンタクト本体から立ち上がった状態に維持されることにより、係止片の先端が段差に引っ掛かる状態が維持され、電線を引っ張った場合、段差の先端に引っ掛かった係止片が滑らかに立ち上がり、コンタクトがハウジング内に保持される。
【００１７】
（４）  前記コンタクト本体は、チタンと銅とからなるチタン銅板で構成されていることを特徴とする（１）から（３）いずれか記載のコネクタ。
【００１８】
（４）記載の発明では、コンタクト本体を、チタンと銅とからなるチタン銅製の金属板で形成する。チタン銅は、ばね性に優れるとともに、硬質であるため、係止片のヘタリを防止し、保持力を高めることができる。特に、係止片を含むコンタクト本体をチタン銅板で形成する場合は、段差の削剥防止のため、係止片の先端の内側縁を面取りすることが好ましい。チタン銅は、高温となる使用環境下でも高い応力緩和性を奏するため、チタン銅製のコンタクト本体を備えたコネクタは、ランプ電源などの高温環境下で使用することができる。
【００１９】
コネクタを高温環境下で使用できるものとするため、コンタクト本体をチタン銅製とすることに併せて、ハウジングを長期耐熱性に優れた材料で形成することが好ましい。長期耐熱性に優れた絶縁性の材料としては、例えば、ガラス入りのポリフェニレンサルファイド樹脂（ＰＰＳ樹脂）が挙げられる。
【００２０】
（５）  前記係止片は、基端と先端との間に位置する中間部に、前記係止片が立ち上がる方向に突出する凸部を備えるものであることを特徴とする（１）から（４）いずれか記載のコネクタ。
【００２１】
（５）記載の発明では、係止片の中間部に、係止片が打ち出され、立ち上げられている方向に突出する凸部を形成することにより、ハウジング収容室を構成する内壁部分に、電線を引っ張ることにより生じる力を分散させ、コンタクトとハウジングとの保持力を高めることができる。
【００２２】
（６）  前記接触部は、前記相手方コネクタのコンタクトと接触する接触板、この接触板に対向する接触ばね、およびこの接触ばねと前記接触板とを接続する側壁を備え、前記接触板と前記接触ばねとの間に相手方コンタクトのコンタクトが圧入される挿入口が形成されていることを特徴とする（１）から（５）いずれか記載のコネクタ。
【００２３】
（６）記載の発明では、接触ばねと接触板との間に相手方コンタクトを挟持するコンタクト（「ソケットコンタクト」）を備えた雌型のコネクタに、上記（１）から（５）いずれか記載の係止片と係段差とで構成される係止構造が備えられている。
【００２４】
（７）  前記接触部は、前記相手方コネクタのコンタクトと接触する接触板を備え、この接触板は、相手方コンタクトに圧入されることより、前記相手方コネクタのコンタクトと接触するものであることを特徴とする（１）から（５）いずれか記載のコネクタ。
【００２５】
（７）記載の発明では、相手方コンタクトに圧入されるタブタイプのコンタクトを備え雄型のコネクタに、上記（１）から（５）いずれか記載の係止片と段差とで構成される係止構造が備えられている。
【００２６】
（８）  コンタクト本体を構成する金属板の一部を切り曲げ加工し、コンタクト本体から突出する係止片を形成する係止片の形成方法であって、前記係止片の先端の内側縁と当接する面取り部と、前記係止片の基端と先端との間に位置する中間部と当接する押さえ部と、を備えたパンチで前記金属板を打ち出し、前記内側縁を面取りするとともに前記中間部に凸部を形成する係止片の形成方法。
【００２７】
上記（５）記載の発明に係るコネクタの係止片は、面取り部と押さえ部とを備えたパンチを用いて係止片を加工することにより、係止片先端の内側縁を面取りするとともに、係止片中間部に凸部を形成するように加工できる。
【発明の効果】
【００２８】
本発明によれば、コンタクトに設けられる係止片を大型化することなく、係止片をハウジング内壁に滑らかに係合させることができる。このため、係止片を小型化し、かつ、保持力を高くすることができる。特に、係止片を係止する段差を逆テーパ状とし、係止片の先端内側を平滑面とした場合には、逆テーパに沿った平滑面の滑らかな立ち上がりによる高い保持力を得、さらに、係止片による段差の削剥を防止し、保持力を高く維持することができる。
【発明を実施するための最良の形態】
【００２９】
次に、本発明の実施形態について図面を用いて説明する。以下、同一部材については同一符号を付し、説明を省略または簡略化する。
【００３０】
図１は、本発明の第１実施形態であるソケットコンタクト２とソケットハウジング３とを対向して配置した図である。ソケットコンタクト２は、電線１３と、電線１３端部に接続されたソケットコンタクト本体１０とで構成されている。
【００３１】
図２（ａ）は、ソケットコンタクト本体１０の平面図、図２（ｂ）は、底面図、図２（ｃ）は、正面図、図２（ｄ）は、側面図、図２（ｅ）は、図２（ａ）のＸ−Ｘ線に沿ってソケットコンタクト本体１０を切断した場合の断面図である。ソケットコンタクト本体１０は、雄型コネクタのコンタクト（図示せず）と接触する接触部１１と、電線１３を圧着保持する圧着部１２と、接触部１１と圧着部１２との間に設けられた係止部１４とで構成されている。
【００３２】
ソケットコンタクト本体１０は、１００〜２００℃程度の高温条件下で使用できる材料で構成されている。具体的には、ソケットコンタクト本体１０は、チタン銅製の一枚の金属板を切り曲げ加工して構成されている。チタン銅は、硬質で、ばね性に優れ、高温での応力緩和特性に優れる。このため、チタン銅製のコンタクトを備えたコネクタは、ランプ電源用コネクタなどとして使用できる。
【００３３】
ソケットコネクタ本体１０の接触部１１は、接触ばね２１、接触ばね２１と対向する位置に設けられている接触板２２、および接触ばね２１と接触板２２とを接続する一対の対向する側壁２３ａ、２３ｂで構成されている。接触ばね２１は、金属板が接触板２２の方向へカーブするように曲げられて構成されており、弾性を有する。接触ばね２１と接触板２２との間には、相手方コネクタの雄コンタクトが圧入される挿入口３０が形成されている。
【００３４】
圧着部１２は、電線１３端部の導体を保持する導体保持具２５と、被覆された電線を保持する被覆保持具２６とを備えている。導体保持具２５と接触ばね２１の間には、係止板２４が設けられており、係止板２４は係止部１４を構成している。
【００３５】
係止部１４を構成する金属板は、コンタクト本体の長さ方向（図２（ａ）の左右方向）にほぼ平行な２本の平行切込み線ｍ１、ｍ２と、これらの平行切込み線ｍ１、ｍ２と直交する垂直切込み線ｎに沿って切断されている。この垂直切込み線ｎを境界として、接触ばね２１が設けられている側（以下、「前側」という）の金属板が、ソケットコンタクト本体１０から突出するように曲げ起こされ、係止片２７が形成されている。
【００３６】
係止片２７は、弾性を備えた金属板で形成され、ソケットコンタクト本体１０から突出するように曲げ起こされていることで、ばね性を備え、弾性変形可能である。また、垂直切込み線ｎを境界として、圧着部１２が設けられている側（以下、「後側」という）の金属板が、接触板２２の方向へほぼ直角に屈曲され、垂直壁２８が形成されている。
【００３７】
係止片２７と垂直壁２８とが屈曲形成されることにより、係止板２４にはほぼ矩形の穴２９が形成される。この穴２９を構成する一組の対向する辺縁であって、２本の平行切込み線ｍ１、ｍ２により形成された辺縁には、係止片２７の先端２７ｂ近傍と対向する位置に、一対の突起２９ａ、２９ｂが設けられている。係止片２７の先端２７ｂの内側縁２７ｕは、面取りされた平滑面となっており、角張っていない。
【００３８】
図３（ａ）は、ソケットハウジング３の平面図である。図３（ａ）では、３つのソケットハウジング３が並列に接続されており、うち、２つは、第１の端部（または「前端」）３ｆから第２の端部（または「後端」）３ｂに平行な面で切断した場合の断面図で示されている。図３（ｂ）は、図３（ａ）のソケットハウジング３の側面図、図３（ｃ）は、正面図、図３（ｄ）は、背面図、図３（ｅ）は、図３（ａ）のＹ−Ｙ線に沿ってソケットハウジング３を切断した場合の断面図である。
【００３９】
ソケットハウジング３は、第１壁３１、第１壁３１と対向する第２壁３２、第１壁３１と第２壁３２とを接続する一対の対向する横壁３３ａ、３３ｂとで構成され、略矩形筒状をなす。ソケットハウジング３には、第１壁３１、第２壁３２、および一対の横壁３３ａ、３３ｂで囲まれた収容室４０が形成されている。ソケットハウジング３は、ガラス入りのＰＰＳ樹脂で構成されている。
【００４０】
ソケットハウジング３の前端３ｆおよび後端３ｂは、ともに開口し、それぞれ第１の開口部４ｆおよび第２の開口部４ｂを備える。ソケットハウジング後端３ｂの第２の開口部４ｂからは、収容室４０に向かってソケットコンタクト２が挿入される。一方、相手方コンタクトは、ソケットハウジング前端３ｆの第１の開口部４ｆから、収容室４０に挿入され、相手方コンタクトとソケットコンタクト２とが接続される。
【００４１】
ソケットハウジング３の第１壁３１、第２壁３２、および一対の横壁３３ａ、３３ｂは、それぞれ、ソケットコンタクト２の係止板２４、接触板２２、一対の側壁２３ａ、２３ｂを覆う。第１壁３１の一表面であって、係止板２４と対向する面は、収容室４０の内壁３１ａを構成している。内壁３１ａには、ソケットコンタクト２の挿入方向と直交する方向に突出する係止丘４２が形成されており、係止丘４の端部に係止片２７を係止する係止壁として機能する段差４１が形成されている。
【００４２】
図４（ａ）は、ソケットコンタクト２をソケットハウジング３に挿入した状態で、図３（ａ）のＹ−Ｙ線に沿って切断した場合の断面図である。図４（ｂ）は、図４（ａ）のｐで示す部分の拡大図であり、段差４１と係止片２７とによるソケットコンタクト２とソケットハウジング３と係止構造を示す。
【００４３】
段差４１は、先端４１ｂが基端４１ａよりソケットハウジング前端３ｆ側に突出するように傾斜した傾斜面となっている。係止丘４２は、ソケットハウジング後端３ｂ側に向かって内壁３１ａから突出する高さが次第に低くなるように形成されている。ソケットコンタクト２は、ソケットハウジング後端３ｂから挿入され、ばね性を備えた係止片２７が段差４１の先端４１ｂから基端４１ａに沿って立ち上がることで、ソケットコンタクト２がソケットハウジング３内に係止され、保持される。
【００４４】
ソケットコンタクト２の係止片２７は、基端２７ａにおいて係止板２４と接続されており、基端２７ａから先端２７ｂに向かい、まっすぐに傾斜している。係止片２７の先端２７ｂは係止板２４が延伸する方向に垂直な方向で、係止板２４が設けられているソケットコンタクト本体１０から突出している。係止片２７は、係止板２４に対向する内面２７ｎと、この内面２７ｎに平行に設けられ、ソケットハウジング３の内壁３１ａに対向する外面２７ｍを備える。また、係止片２７の先端２７ｂには、内面２７ｎと外面２７ｍとの一端部において、内面２７ｎと外面２７ｍとを接続する先端面２７ｆが形成されている。
【００４５】
先端面２７ｆの一組の対向する辺縁は、それぞれ、外面２７ｍと接する外側縁２７ｖ、内面２７ｎと接する内側縁２７ｕとなっている。本発明では、この内側縁２７ｕは、面取りされている。
【００４６】
図５は、本発明の係止片２７と段差４１との係合状態を説明するための図である。図６は、内側縁７７ｕが面取りされていない、従来の係止片７７による係止構造を示す。
【００４７】
図５（ａ）に示すように、本発明に係る係止片２７が、段差４１の傾斜した面と接する点から段差４１の先端４１ｂまでの距離はｔ１である。一方、従来の面取りのない係止片７７が段差４１の傾斜した面と接する点から段差４１の先端４１ｂまでの距離は、ｔ２であり、ｔ１はｔ２に比して長い。
【００４８】
すなわち、係止片２７、７７が同じ高さにある場合、本発明の係止片２７は、面取りされていない係止片７７より段差４１の基端４１ａに近い位置で段差４１に係止されるため、保持力が高い。また、面取りされた内側縁２７ｕは、図５（ｂ）に示すように、段差４１に沿って滑らかに移動でき、係止片２７の立ち上がりを容易とし、係止力を高める。
【００４９】
また、ソケットコンタクト２がソケットハウジング後端３ｂ（図５において右側）に引っ張られた場合、本発明の係止片２７は、係止丘４２のｋで示した領域で保持される。係止片２７を保持する係止丘４２の領域は、図５および図６に示すように、係止片２７が段差４１の基端４１ａ側で保持されるほど、大きくなる。
【００５０】
このように、本発明では、係止片２７の先端２７ａ内側縁２７ｕを面取りすることにより、段差４１と係止片２７との係止部分を大きくし、係止力を高めることができる。このため、本発明によれば、係止片２７を屈曲させることなく、基端２７ａから先端２７ｂにまっすぐ傾斜させ、係止片２７を小型化し、かつ、保持力を高めることができる。
【００５１】
また、本発明では、係止片２７の先端の内側縁２７ｕが角張っていないことから、硬い金属板で形成された係止片２７が段差４１を削ることを防止できる。このため、係止丘４２が削剥されて矮小化することを防止し、保持力が低下することを防止できる。また、段差４１が削られて生じる削り屑が接触板２２に付着することを防止し、相手方コンタクトとの接触不良を防止できる。
【００５２】
本実施形態では、係止片２７の先端２７ａの内側縁２７ｕの面取りの形状は、内面２７ｎに対して約４５度の角度で傾斜する面であるが、面取りの形状はこれに限られない。
【００５３】
図７は、本実施形態以外の面取り形状の例を示す。面取りの形状は、例えば、図７（ａ）に示すように、内面２７１ｎ側が大きく削られてもよく、逆に図７（ｂ）に示すように先端面２７２ｆ側が大きく削られ、内面２７２ｎ側と先端面２７２ｆ側との面取幅が不均等となっていてもよい。また、面取りされた面が本実施形態のように直線的な平面にならずに、図７（ｃ）（ｄ）に示すように、カーブを描くように面取りされていてもよい。
【００５４】
このような面取りは、ダイとパンチとを用いた圧印加工により、行なうことができる。図８は、係止片の先端の内側縁の面取り加工の方法を説明するための図である。図８（ａ）は、図４（ｂ）に示した内側縁２７ｕを形成する加工方法を説明する図である。
【００５５】
図８（ａ）に示すように、係止片２７となる金属板は、ダイ８０とパンチ８１との間に挟持されている。パンチ８１は、面取り部８２を備え、パンチ８１がダイ８０の方向へ押圧されることにより、面取り部８２が当接する部分の金属板が面取りされる。金属板は、図８（ｅ）に示すように、パンチ８１ｅがダイ８０ｅの方向へ押し下げられることにより、曲げ加工され、係止片２７が立ち上げられる。
【００５６】
係止片２７の面取り形状は、図８（ｂ）、（ｃ）、および（ｄ）に示すように、パンチ８１の面取り部８２a〜８２ｄの形状を変化させることにより、自在に変更でき、例えば図７（ｂ）、（ｃ）、および（ｄ）に示すような面取り形状とできる。
【００５７】
また、図８（ｆ）に示すように、パンチ８１に押さえ部８３を設けてもよい。押さえ部８３は、係止片２７５の中間部にあたる部位に当接され、パンチ８１が押圧されることにより、係止片２７５には、係止片２７５が立ち上げられる方向に沿って突出する凸部２７ｔが形成される。パンチ８１の押さえ部８３は、係止片２７５を固定し、所定位置の面取りを行なうことを可能とする。
【００５８】
図９は、本発明の第２実施形態に係るタブタイプのコネクタ（以下、「タブタイプコネクタ」という）１００をタブタイプのコネクタ用のハウジング（以下、「タブタイプハウジング」という）１０３を挿入した状態を示す図である。タブタイプコネクタ１００は、タブタイプのコンタクト（以下、「タブタイプコンタクト」という）１０２と、タブタイプハウジング１０３とを備える。タブタイプコンタクト１０２は、電線１１３と、電線１１３端部に接続されたタブタイプコンタクト本体１１０とで構成されている。
【００５９】
タブタイプコンタクト本体１１０は、１００〜２００℃程度の高温条件下で使用できる材料であるチタン銅製の一枚の金属板を切出し、曲げ加工して構成されている。タブタイプコンタクト本体１１０は、接触板１２２を備えた接触部１１１、電線１１３を圧着保持する圧着部１１２、および接触部１１１と圧着部１１２との間に設けられた係止部１１４とで構成されている。係止部１１４には、係止片１２７が形成され、係止片１２７の先端１２７ｂの内側縁１２７ｕは面取り加工されている。
【００６０】
一方、タブタイプハウジング１０３には、このタブタイプコンタクト本体１１０が挿入される収容室１４０が形成され、収容室１４０の内壁１３１ａには、逆テーパ状の段差１４１が形成されている。タブタイプコンタクト１０２と、タブタイプハウジング１０３とは、この係止片１２７と段差１４１とで係止される構造となっている。
【００６１】
本発明によれば、コンタクトの係止片を係止するために、ハウジングの内壁に設けた段差を逆テーパ状とすることにより、係止片の滑らかな立ち上がりを可能とし、係止片と段差とが係る領域を増大させることができる。このため、保持力の低下を招くことを防止しながら、段差が内壁から突出する高さを低くして、コンタクトをハウジングに挿入する際に必要な挿入力を小さくすることもできる。
【００６２】
また、コンタクト係止片の先端の内側縁を面取りすることにより、逆テーパ状の段差との相乗効果が生じ、保持力を著しく高くすることができる。例えば、係止片の先端の内側縁を面取りした本発明の係止片と、逆テーパ状に傾斜しない、従来の段差とによる係止構造による保持力は約９０Ｎである。これに対し、段差を逆テーパ状とし、係止片の先端内側縁を面取りした係止構造によれば、約１１７Ｎもの保持力を得ることができる。
【産業上の利用可能性】
【００６３】
本発明は、コンタクト本体と、このコンタクト本体を収容するハウジングを備え、電子機器の接続に用いられるコネクタに用いることができる。
【図面の簡単な説明】
【００６４】
【図１】本発明の第１実施形態に係るソケットコンタクトと、ソケットハウジングとを対向配置した図である。
【図２】は、前記実施形態に係るソケットコンタクト本体を示し、（ａ）は平面図、（ｂ）は底面図、（ｃ）は正面図、（ｄ）は側面図、（ｅ）は（ａ）に示すＸ−Ｘ線での断面図である。
【図３】は、前記実施形態に係るソケットハウジングを示し、（ａ）は平面図、（ｂ）は側面図、（ｃ）は正面図、（ｄ）は背面図、（ｅ）は（ａ）に示すＹ−Ｙ線での断面図である。
【図４】は、前記実施形態に係るソケットコンタクトがソケットハウジングに挿入された状態を示す図で、（ａ）は、断面図、（ｂ）はｐで示した部分の拡大図である。
【図５】前記実施形態に係るソケットコンタクトと、ソケットハウジングとの係合状態を示し、（ａ）は段差先端付近に係止片が係止される状態、（ｂ）は係止片が揺動する状態、および（ｃ）は、段差基端付近に係止片が係止される状態を示す。
【図６】（ａ）および（ｂ）ともに従来技術に係る係止片の係合状態を示す。
【図７】本発明に係る係止片の内側縁の面取り形状の例を示し、（ａ）は内面側の面取り幅が多い例、（ｂ）は先端面の面取り幅が多い例、（ｃ）は内側縁が円弧状の例、（ｄ）は内側縁が円弧状の別の例を示す。
【図８】本発明に係る係止片の内側縁の面取り加工法を示し、（ａ）は第１実施形態に示す形状で面取りする場合、（ｂ）は図７（ｂ）、（ｃ）は図７（ｃ）、（ｄ）は図７（ｄ）に示す形状で面取りする場合、（ｅ）は係止片を立ち上げる工程、（ｆ）は係止片に凸部と形成する場合を示す。
【図９】本発明の第２実施形態に係るタブタイプのコネクタにおけるコンタクトとソケットハウジングとの係合状態を示す模式図である。
【符号の説明】
【００６５】
１      雌型のコネクタ（コネクタ）
２      ソケットコンタクト（コンタクト）
３      ソケットハウジング(ハウジング)
１１    接触部
１２    圧着部
１４    係止部
２４    係止板
２７    係止片
２７ｕ  内側縁
３１ａ  内壁
４１    段差
【図１】
2005259602.tif 000003
【図２】
2005259602.tif 000004
【図３】
2005259602.tif 000005
【図４】
2005259602.tif 000006
【図５】
2005259602.tif 000007
【図６】
2005259602.tif 000008
【図７】
2005259602.tif 000009
【図８】
2005259602.tif 000010
【図９】
2005259602.tif 000011